(57)【要約】【課題】本発明は、配管パイプの長さを精密に配管できるようにし、水密な配管パイプを接続することを可能にした多槽式貯水タンクの伸縮継手に関するものである。【解決手段】本発明は、方形パネルをパッキングを介して連結し、所望の方形からなる少なくとも二槽式貯水タンクを構成している。また、前記貯水タンクは、隣合った貯水タンクの内部を跨いで配管パイプが配管され、前記最初の貯水タンク内部の水が前記貯水タンクの外部に排水できるようになっている。前記配管パイプの連結部は、前記配管パイプの長さを調整するための第１継手および第２継手からなる伸縮継手によって覆われている。前記第１継手および第２継手は、フランジが一端に成形されているとともに、前記フランジの下部外側にオーリングを装着するオーリング装着凹部が備えられている。前記第１継手および第２継手の他端は、上部または下部にネジが設けられ、互いに螺合するように切られている。【選択図】図２
2010112436.tif 000002
【特許請求の範囲】
【請求項１】
方形パネルを連結して貯水タンクとし、仕切板によって分離できるように組み立てられた多槽式貯水タンクと、前記多槽式貯水タンクの少なくとも一つの内部を跨いで配管されている配管パイプと、前記配管パイプを前記貯水タンク内で連結する連結部と、から少なくとも構成されている多槽式貯水タンクの伸縮継手において、
一端にフランジおよびオーリング装着凹部を備え、他端の上部または下部にネジが設けられている第１継手と、
一端にフランジおよびオーリング装着凹部を備え、他端の下部または上部に前記第１継手と螺合するネジが設けられている第２継手と、
前記第１継手および第２継手のオーリング装着凹部に装着されたオーリングと、
前記第１継手および第２継手のフランジ当接面に当接して前記オーリングを押さえる込む第１リングおよび第２リングと、
とから少なくとも構成されていることを特徴とする多槽式貯水タンクの伸縮継手。
【請求項２】
前記第１継手および前記第１リング、第２継手および第２リングは、ボルト・ナットによって互いに固定できるボルト貫通孔を備えていることを特徴とする請求項１に記載された多槽式貯水タンクの伸縮継手。
【請求項３】
前記配管パイプの接続にあたり、両者の間には、間隙が設けられていることを特徴とする請求項１または請求項２に記載された多槽式貯水タンクの伸縮継手。
【請求項４】
前記第１リングおよび第２リングは、前記オーリングを介して前記オーリング装着凹部に嵌合する凸部が成形されていることを特徴とする請求項１から請求項３のいずれか１項に記載された多槽式貯水タンクの伸縮継手。
【発明の詳細な説明】
【技術分野】
【０００１】
本発明は、方形パネルを連結し、所望の方形からなる貯水タンクにおいて、前記貯水タンクを仕切板によって分離して多槽式貯水タンクとし、その内の１つの貯水タンク内部を跨いで配管パイプによって配管する際に、互いに配管パイプを接続する多槽式貯水タンクの伸縮継手に関するものである。特に、本発明は、前記多槽式貯水タンクの伸縮継手を使用することにより、前記配管パイプの長さを精密に配管できるようにし、水密な配管パイプの接続を可能にしている。
【背景技術】
【０００２】
従来のパイプ接続は、たとえば、特開２００１−３３６６８６号公報にあるように、パイプとパイプの接続部に継手により覆い、前記パイプと継手の間にオーリングを装着して、水密性を保持している。
【特許文献１】特開２００１−３３６６８６号公報
【発明の開示】
【発明が解決しようとする課題】
【０００３】
方形パネルを連結して組み立てられた貯水タンクは、仕切り板によって、簡単に仕切られるため、多槽式にすることが可能である。前記多槽式貯水タンクは、一つの貯水タンク内の水を抜き、内部を清掃、保守、または検査等を容易に行うことができる。前記多槽式貯水タンクは、内部の清掃、保守、または検査等を容易に行うために、それぞれのタンク内部を跨いで配管パイプが配管されている。しかし、前記方形パネルを連結して組み立てられた多槽式貯水タンクは、方形パネルの寸法精度が高いのに対して、配管パイプの寸法にバラツキがある。
【０００４】
前記貯水タンクの配管パイプは、寸法に僅かな誤差があっても、高い水圧がかかっているため、水が漏れる恐れがある。たとえば、前記貯水タンクは、通常、使用される、１０００ｍｍ角の仕切板を組み立て、約８０００×４０００×６０００ｍｍの大きさのものが作製される。前記貯水タンクは、中間の位置で仕切られたとしても、４０００ｍｍのパイプで跨ぐようにする必要がある。しかし、前記パイプは、前記深さの水圧下において、水密性を保持するためには、寸法精度が１０００分の１以下であることが要求される。既製の配管パイプは、前記寸法精度を有しないのが普通であり、接続部分において、漏水が発生していた。
【０００５】
以上のような課題を解決するために、本発明は、方形パネルを組み立てた貯水タンクと、前記貯水タンク内部を跨いだ配管パイプとの間で寸法精度に誤差があっても、前記誤差を吸収して、高い水圧により、漏水の発生しない多槽式貯水タンクの伸縮継手を提供することを目的とする。
【課題を解決するための手段】
【０００６】
（第１発明）
第１発明における多槽式貯水タンクの伸縮継手は、方形パネルを連結して貯水タンクとし、仕切板によって分離できるように組み立てられた多槽式貯水タンクと、前記多槽式貯水タンクの少なくとも一つの内部を跨いで配管されている配管パイプと、前記配管パイプを前記貯水タンク内で連結する連結部と、から少なくとも構成されておりと、一端にフランジおよびオーリング装着凹部を備え、他端の上部または下部にネジが設けられている第１継手と、一端にフランジおよびオーリング装着凹部を備え、他端の下部または上部に前記第１継手と螺合するネジが設けられている第２継手と、前記第１継手および第２継手のオーリング装着凹部に装着されたオーリングと、前記第１継手および第２継手のフランジ当接面に当接して前記オーリングを押さえる込む第１リングおよび第２リングととから少なくとも構成されていることを特徴とする。
【０００７】
（第２発明）
第２発明の多槽式貯水タンクの伸縮継手において、第１発明の第１継手および前記第１リング、第２継手および第２リングは、ボルト・ナットによって互いに固定できるボルト貫通孔を備えていることを特徴とする。
【０００８】
（第３発明）
第３発明の多槽式貯水タンクの伸縮継手において、第１発明または第２発明の配管パイプの接続にあたり、両者の間には、間隙が設けられていることを特徴とする。
【０００９】
（第４発明）
第４発明の多槽式貯水タンクの伸縮継手において、第１発明から第３発明の第１リングおよび第２リングは、オーリングを介してオーリング装着凹部に嵌合する凸部が成形されていることを特徴とする。
【発明の効果】
【００１０】
本発明によれば、寸法精度の高い方形パネルと、寸法精度の低い配管パイプとによる組み立てにおいても、方形パネル部分と配管パイプとの間に漏水が発生しない伸縮継手を得ることができる。
【００１１】
本発明によれば、伸縮継手を使用することで、配管パイプの寸法誤差を吸収するとともに、高い水圧下において、方形パネル部分と配管パイプとの間に漏水が発生しない伸縮継手を得ることができる。
【００１２】
本発明によれば、第１継手および第２継手により前記配管パイプを覆った後、互いの端部を螺合させて、長さを調節することができ、前記配管パイプの長さを正確にすることができる。
【００１３】
本発明によれば、オーリングを収納するオーリング装着凹部と、前記オーリングを押さえ込むリングに成形された凸部とにより、水密性を向上させている。
【発明を実施するための最良の形態】
【００１４】
（第１発明）
第１発明の多槽式貯水タンクは、方形パネルをパッキングを介して連結し、所望の方形からなる貯水タンクを少なくとも二槽から構成されている。また、前記貯水タンクは、仕切板によって所定の位置によって分離されて、多槽式貯水タンクとなっている。さらに、前記貯水タンクは、隣合った貯水タンクの内部を跨いで配管パイプが配管され、前記最初の貯水タンク内部の水が前記貯水タンクの外部に排水できるようになっている。前記配管パイプの連結部は、前記配管パイプの長さを調整するための第１継手および第２継手からなる伸縮継手によって覆われている。
【００１５】
前記第１継手は、フランジが一端に成形されているとともに、前記フランジの下部外側にオーリングを装着するオーリング装着凹部が備えられている。また、前記第１継手の他端は、上部または下部にネジが設けられている。前記第２継手は、フランジが一端に成形されているとともに、前記フランジの外側にオーリングを装着するオーリング装着凹部が備えられている。また、前記第２継手の他端は、上部または下部にネジが設けられている。前記第１継手および第２継手に設けられたネジは、互いに螺合するように切られている。
【００１６】
前記第１リングおよび第１継手、前記第２リングおよび第２継手は、２本の配管パイプの端部に嵌合される。その際に、前記オーリングは、前記オーリング装着凹部に装着されている。第１継手および第２継手は、互いに螺合される。前記第１リングおよび第２リングは、前記第１継手および第２継手の当接面に当接するとともに、前記第１継手および第２継手のフランジ、第１リングおよび第２リングにボルトを装着して、ナットを締めることにより、前記オーリングが押さえられ、シールを完全にする。
【００１７】
（第２発明）
第２発明の多槽式貯水タンクの伸縮継手は、第１継手および第２継手により前記配管パイプの連結部を覆った後、互いに螺合させる。また、前記第１継手および第２継手と、前記第１リングおよび第２リングは、互いに貫通する孔を備えている。前記第１継手および第２継手と、前記第１リングおよび第２リングは、孔にボルトが挿入され、ナットを締めることによって互いに固定され、接続された配管パイプを所定の距離にすることができるため、前記配管パイプと仕切り板または方形パネルとの間から漏水することがない。
【００１８】
（第３発明）
第３発明の多槽式貯水タンクの伸縮継手は、前記配管パイプの長さによる誤差を吸収するためのものであり、前記配管パイプの接続にあたり、両者の間に間隙を設けるようにして取り付けられている。すなわち、前記第１継手および第２継手は、互いに螺合する際に、配管パイプどうしの長さを短めにすることにより、配管パイプを所望の寸法に配管することができる。
【００１９】
（第４発明）
前記第１リングおよび第２リングは、前記オーリング装着凹部に向かって凸部が成形されている。前記凸部は、前記オーリング装着凹部に嵌合する大きさである。前記オーリング装着凹部は、前記オーリングが挿入された後、前記リングを締め付けることにより、前記凸部が嵌合するとともに、オーリングを潰し、水密性を堅固に保つことができる。
なお、本発明の貯水タンクは、水のみを入れることに限定する理由がないため、貯液タンクと同意語である。
【実施例】
【００２０】
図１（イ）は本発明の実施例である多槽式貯水タンクの平面図、（ロ）は多槽式貯水タンクの側面図である。図１（イ）および（ロ）において、貯水タンク１１は、たとえば、１０００ｍｍ×１０００ｍｍからなる方形パネル１２を図示されていない、パッキング等を介して、接着剤等で方形に堅固に組み立てられ、中央を仕切り板１５によって仕切られ、第１貯水槽１３および第２貯水槽１４を構成している。前記仕切り板１５は、前記方形パネル１２と同じものである。前記貯水タンク１１は、仕切り板１５の仕切り方により、任意の大きさと数からなる多槽式貯水タンクを構成する。前記第１貯水槽１３および第２貯水槽１４は、交互に水を抜き、清掃、修理、または検査等を行うことができる。
【００２１】
前記第１貯水槽１３は、水を取り込む第１取水口１２１を備えている。前記第２貯水槽１４は、水を取り込む第２取水口１４１を備えている。前記仕切り板１５は、第１貯水槽１３および第２貯水槽１４の水を互いに行き来するための仕切りバルブ１５１が設けられている。前記第２貯水槽１４は、槽内の水を排水する第２出水管１４３を備えている。前記第１貯水槽１３内の水は、第２貯水槽１４の内部を跨いで第１出水管１４２から排水される。前記第１出水管１４２および第２出水管１４３は、第１排水ポンプ１８１および第２排水ポンプ１８２に接続されている。
【００２２】
第２貯水槽１４の内部を跨いでいる配管パイプ１６は、配管パイプ１６１および配管パイプ１６２が伸縮継手１７により接続されるとともに、長さが調整されている。本発明は、前記配管パイプ１６の長さが前記伸縮継手１７により正確に調整されているため、一方の貯水槽の水を汲み出した状態において、配管パイプ１６１と仕切り板１５および第２貯水槽１４の端部と第１出水管１４２との間から漏水することがない。
【００２３】
図２は本発明の実施例で、配管パイプを接続する伸縮継手の構造を説明するための図で、（イ）は一部断面図、（ロ）は一部拡大図である。図３は本発明の実施例で、配管パイプと伸縮継手との接続状態を示す立体組立図である。図２（イ）および（ロ）と図３において、伸縮継手１７は、前記配管パイプ１６の長さを調整するための第１継手１７１および第２継手１７２から構成されている。配管パイプ１６１および配管パイプ１６２の連結部は、所定間隔の空隙２０を介して配置されている。前記配管パイプ１６１および配管パイプ１６２は、前記空隙２０とともに、伸縮継手１７によって覆われている。
【００２４】
前記伸縮継手１７は、第１継手１７１と第１リング１７３、第１オーリング１７４と第２オーリング１７６、および第２継手１７２と第２リング１７６とから構成されている。前記第１継手１７１は、フランジ１７１１が一端に成形されているとともに、前記フランジ１７１１の下部外側で、配管パイプ１６１に接するオーリング１７４を装着するオーリング装着凹部１７１４が設けられている。また、前記第１継手１７１の他端は、上部または下部にネジ１７１３が設けられている。
【００２５】
前記第２継手１７２は、第１継手１７１と同様に、フランジ１７２１が一端に成形されているとともに、前記フランジ１７２１の下部外側に第２オーリング１７５を装着するオーリング装着凹部１７２４が設けられている。また、前記第２継手１７２の他端は、上部または下部にネジ１７２３が設けられている。前記第１継手１７１および第２継手１７２に設けられたネジ１７１３、１７２３は、互いに螺合するように切られている。
【００２６】
前記第１リング１７３および第１継手１７１、前記第２リング１７６および第２継手１７２は、２本の配管パイプ１６１、１６２の端部に嵌合される。その際に、前記オーリング１７４、１７５は、前記オーリング装着凹部１７１４、１７２４に装着されている。第１継手１７１および第２継手１７２は、互いに螺合される。前記第１リング１７３および第２リング１７６は、前記第１継手１７１および第２継手１７２の当接面であるフランジ１７１１、１７２２の側面に当接するとともに、前記第１継手１７１および第２継手１７２のフランジ１７１１、１７２２、第１リング１７３および第２リング１７６にボルト２１を装着して、ナット２２を締めることにより、前記オーリング１７４、１７５が押さえられ、シールを完全にする。
【００２７】
前記配管パイプ１６１、１６２における長さの誤差は、伸縮継手１７における空隙２０によって吸収される。したがって、前記配管パイプ１６１、１６２は、図１における仕切り板１５または第１出水管１４２、第２出水管１４３の部分に誤差がないため、水圧がかかっても、漏水が発生しない。また、第１リング１７３および第２リング１７６は、図２（ロ）において、判るように凸部１７３１を設け、オーリング１７４を介して前記凸部１７３１がオーリング装着凹部１７１４の内部に一部が入るように構成されている。前記凸部１７３１は、伸縮継手１７における水密性をさらに向上させることができる。また、前記第１リング１７３および第２リング１７６は、ボルト２１およびナット２２により固定した後、配管パイプ１６１および１６２に溶接で固定して置くこともできる。
【００２８】
以上、本発明の実施例を詳述したが、本発明は、前記本実施例に限定されるものではなく、特許請求の範囲に記載されている事項を逸脱することがなければ、種々の設計変更を行うことが可能である。たとえば、特許請求の範囲および発明の詳細な説明における、多槽式貯水タンク、貯水タンクは、水に限定する理由がなく、液体であれば、どのような内容物であっても適用できることはいうまでもない。また、方形パネル、仕切り板、取水管、出水管、配管パイプの材質、形状構造は、限定されるものではなく、周知または公知のものが使用できることはいうまでもない。前記多槽式貯水タンク、貯水タンクは、任意の付帯的設備または備品が設けられていることもいうまでもないことである。さらに、第１継手および第２継手の組立は、シールテープ巻いてネジ込む方法、あるいは塩化ビニル接着剤等によって接着することもできる。
【図面の簡単な説明】
【００２９】
【図１】（イ）は本発明の実施例である多槽式貯水タンクの平面図、（ロ）は多槽式貯水タンクの側面図である。（実施例１）
【図２】本発明の実施例で、配管パイプを接続する伸縮継手の構造を説明するための図で、（イ）は一部断面図、（ロ）は一部拡大図である。
【図３】本発明の実施例で、配管パイプと伸縮継手との接続状態を示す立体組立図である。
【符号の説明】
【００３０】
１１・・・貯水タンク
１２・・・方形パネル
１２１・・・第１取水口
１３・・・第１貯水槽
１４・・・第２貯水槽
１４１・・・第２取水口
１４２・・・第１出水管
１４３・・・第２出水管
１５・・・仕切り板
１５１・・・仕切りバルブ
１６・・・配管パイプ
１６１・・・第１配管パイプ
１６２・・・第２配管パイプ
１７・・・伸縮継手
１７１・・・第１継手
１７１１・・・フランジ
１７１３・・・ネジ
１７１４・・・オーリング装着凹部
１７２・・・第２継手
１７２１・・・フランジ
１７２３・・・ネジ
１７２４・・・オーリング装着凹部
１７３・・・第１リング
１７３１・・・凸部
１７４・・・第１オーリング
１７５・・・第２オーリング
１７６・・・第２リング
２０・・・間隙
２１・・・ボルト
２２・・・ナット
【図１】
2010112436.tif 000003
【図２】
2010112436.tif 000004
【図３】
2010112436.tif 000005